(57)【特許請求の範囲】
【請求項１】
時計の香箱アセンブリ（１）であって、
前記アセンブリ（１）は、香箱ドラム（３）と香箱のコア（４）が備えた受承面（５）との間に、香箱ゼンマイの第１の端部が前記香箱ドラム（３）上に、香箱ゼンマイの第２の端部（２２）が受承面（５）上にあるように設けた少なくとも１つの前記香箱ゼンマイ（２）を含み、前記香箱のコア（４）は前記ドラム（３）と軸線（Ｄ）の周りで同軸である香箱アセンブリ（１）において、
前記ゼンマイは、４４〜４６％のコバルト、２０〜２２％のニッケル、１７〜１９％のクロム、４〜６％の鉄、３〜５％のタングステン、３〜５％のモリブデン、０〜２％のチタン、０〜１％のベリリウムを含み、２００〜２４０Ｇｐａのヤング率及び８０〜１００Ｇｐａの剪断弾性率を有する、多相のコバルト−ニッケル−クロムベースの合金製であり、９〜２１の幅厚比を有すること、
前記コアは鋼又は鉄鋼製であること、
前記軸線（Ｄ）から前記コア（４）の最大半径は、前記ゼンマイ（２）の最大厚さの１０倍未満であること
を特徴とし、並びに
前記コア（４）は、前記コアの第１の端部（８６）から前記コアの第２の端部（８７）までに：
−時計機構の地板又は受け（１０Ａ）にある角穴車（１２）を固定する手段（１２０）及び／又は第１の枢動肩部（１８１）；
−前記ドラム（３）の孔（３５）に関連する枢動肩部（４３）；
−前記肩部（４３）から径方向に突出し、前記少なくとも１つのゼンマイ（２）の側部において前記ドラム（３）の内面（３１）と当接して協働するカラー（４０）；
−前記カラー（４０）と同一平面にあるか又は前記カラー（４０）に対して径方向に後退した位置にある前記少なくとも１つのゼンマイ（２）のための受承面（５）；
−前記受承面（５）から径方向に後退した位置にあり、前記ドラム（３）と共に前記少なくとも１つのゼンマイ（２）を収容するチャンバ（３２）を形成するように設けた蓋（７）の孔（７５）に関連する枢動肩部（４４）；
−前記時計機構の前記地板又は前記受け（１０Ａ）にある第２の枢動肩部（１８２）
を順に含むことを更に特徴とする、香箱アセンブリ（１）。
【請求項２】
前記コア（４）の外径は、前記カラー（４０）から前記コアの前記第２の端部（８７）へと段階的に減少し、前記コア（４）の外径は前記カラー（４０）から前記コアの前記第１の端部（８６）へと段階的に減少していることを特徴とする、請求項１に記載の香箱アセンブリ（１）。
【請求項３】
前記ドラム（３）の前記孔（３５）に関連する前記枢動肩部（４３）は、前記カラー（４０）に次いで最も大きい直径の肩部であることを特徴とする、請求項１又は２に記載の香箱アセンブリ（１）。
【請求項４】
前記アセンブリ（１）は、前記コア（４）に背分力又は牽引力を印加することにより前記コア（４）を前記軸線（Ｄ）に沿って軸方向に引き抜くことができるように設けた引き抜き手段（１９０）を有することを特徴とする、請求項１〜３のいずれか１項に記載の香箱アセンブリ（１）。
【請求項５】
前記引き抜き手段（１９０）は、前記コア（４）が前記コアの前記第２の端部（８７）の近傍でかつ前記蓋（７）の前記孔（７５）に関連する前記枢動肩部（４４）を越えた部位に設けた少なくとも１つの溝（１９１）及び／又は段付き部によって形成されていることを特徴とする、請求項４に記載の香箱アセンブリ（１）。
【請求項６】
前記コア（４）は、少なくとも２つの部分で構成され、第１の部分（４Ａ）は、前記ドラム（３）の前記孔（３５）及び前記蓋（７）の前記孔（７５）のいずれの直径よりも小さい直径を有し、他方の第２の部分（４Ｂ）は、前記第１の部分（４Ａ）上に嵌合する孔を有し、また前記第２の部分（４Ｂ）は、前記ゼンマイ（２）のための前記受承面（５）を含むか又は前記ゼンマイ（２）の内側端部を形成することを特徴とする、請求項１〜５のいずれか１項に記載の香箱アセンブリ（１）。
【請求項７】
前記コア（４）は少なくとも２つの部分で構成され、内側部分となる第１の部分（４Ａ）は前記角穴車（１２）を固定する前記手段（１２０）を含むか又は前記角穴車（１２）を一体に形成しかつ前記第１の枢動肩部（１８１）を有し、前記第１の部分（４Ａ）は前記軸線（Ｄ）に沿ってセンタリング用肩部（１８３）及び雄ねじ山（１８５）又は雌ねじ山を含み、他方の第２の部分（４Ｂ）は、前記センタリング用肩部（１８３）に嵌合するセンタリング用孔（１８４）を有し、前記第１の部分（４Ａ）の前記雄ねじ山（１８５）又は前記雌ねじ山に相補的な雌（１８６）又は雄ねじ山をそれぞれ有し、前記第２の部分（４Ｂ）は、前記ドラム（３）の前記孔（３５）に関連する前記肩部（４３）、前記カラー（４０）、及び前記ゼンマイ（２）のための前記受承面（５）を備えるか又は前記ゼンマイ（２）の前記内側端部を形成し、また前記第２の部分（４Ｂ）は前記蓋（７）の前記孔（７５）に関連する前記枢動肩部（４４）及び前記第２の枢動肩部（１８２）も備えていることを特徴とする、請求項１〜５のいずれか１項に記載の香箱アセンブリ（１）。
【請求項８】
前記コア（４）は少なくとも２つの部分で構成され、第１の部分（４Ａ）は円筒形又はチューブ状である香箱真（１８）を含み、前記香箱真（１８）の２つの対向する軸方向端部に前記第１の枢動肩部（１８１）及び前記第２の枢動肩部（１８２）を含み、前記第１の枢動肩部（１８１）及び前記第２の枢動肩部（１８２）は前記香箱真と一体であるか、又はねじ留め及び／若しくは巻き付け及び／若しくは溶接によって前記香箱真に固定され、他方の第２の部分（４Ｂ）は前記ドラムの前記孔（３５）に関連する前記肩部（４３）及び前記カラー（４０）を備え、前記ゼンマイ（２）のための前記受承面（５）を含むか又は前記ゼンマイ（２）の前記内側端部を形成し、また、前記蓋（７）の前記孔（７５）に関連する前記枢動肩部（４４）も備え、前記第１の部分（４Ａ）に嵌合する孔を有することを特徴とする、請求項１〜５のいずれか１項に記載の香箱アセンブリ（１）。
【請求項９】
前記第１の部分（４Ａ）は、角穴車ホルダ（８１）又は前記角穴車（１２）と単一の部品であることを特徴とする、請求項８に記載の香箱アセンブリ（１）。
【請求項１０】
前記第２の部分（４Ｂ）は、前記第１の部分（４Ａ）又は前記角穴車（１２）が備える相補的駆動手段（１８７）と協働するよう、及び前記軸線（Ｄ）の枢動接触及び軸方向における接触の両方を保証するように設けられている前記第１の部分（４Ａ）及び／又は前記角穴車（１２）のための枢動駆動手段（１８７）を含むことを特徴とする、請求項８又は９に記載の香箱アセンブリ（１）。
【請求項１１】
前記第２の部分（４Ｂ）は複数の同軸部品から構成され、前記複数の同軸部品のうちの１つはリングの形態で作製され、前記少なくとも１つのゼンマイ（２）の目玉部を引っ掛けるためのフック（４１）を備えていることを特徴とする、請求項６〜１０のいずれか１項に記載の香箱アセンブリ（１）。
【請求項１２】
前記受承面（５）は、前記少なくとも１つのゼンマイ（２）の前記目玉部を引っ掛けるための  フック（４１）を備えていること、及び
前記コア（４）の前記カラー（４０）は、前記フック（４１）の側方に、前記フック（４１）を機械加工するための皿取りドリル又はフライス工具の通路のための凹部（５２）を有すること
を特徴とする、請求項１〜１１のいずれか１項に記載の香箱アセンブリ（１）。
【請求項１３】
前記角穴車（１２）は、前記コア（４）と単一の部品であることを特徴とする、請求項１〜１２のいずれか１項に記載の香箱アセンブリ（１）。
【請求項１４】
前記受承面（５）は、前記軸線（Ｄ）の回転表面であることを特徴とする、請求項１〜１３のいずれか１項に記載の香箱アセンブリ（１）。
【請求項１５】
前記ゼンマイ（２）は、摩擦によって前記コア（４）に固定されていることを特徴とする、請求項１〜１４のいずれか１項に記載の香箱アセンブリ（１）。
【請求項１６】
前記ゼンマイ（２）及び前記コア（４）は、溶接又はハンダ付けされた分解不可能な単一部品のゼンマイ−コアサブアセンブリを形成していることを特徴とする、請求項１〜１４のいずれか１項に記載の香箱アセンブリ（１）。
【請求項１７】
エネルギー貯蔵用の請求項１〜１６のいずれか１項に記載の１つの香箱アセンブリ（１）を含む時計ムーブメント（１００）であって、
前記香箱アセンブリ（１）は、コア（４）若しくは前記コア（４）と一体である香箱真（１８）と一体に回転するように設けた角穴車（１２）、又はドラム（３）と一体に回転するように設けたドラム歯部（１３）のいずれかによって形成された１つの入力部、及びこれら各場合のそれぞれに対して、ドラム（３）と一体に回転するように設けたドラム歯部（１３）、又はコア（４）若しくは香箱真（１８）と一体に回転するように設けた角穴車（１２）によって形成された１つの出力部を有する、時計ムーブメント（１００）。
【請求項１８】
請求項１７に記載の時計ムーブメント（１００）及び／又はエネルギー貯蔵用の請求項１〜１６のいずれか１項に記載の香箱アセンブリ（１）を含む時計（１０００）であって、
前記香箱アセンブリ（１）は、コア（４）若しくは前記コア（４）と一体である香箱真（１８）と一体に回転するように設けた角穴車（１２）、又はドラム（３）と一体に回転するように設けたドラム歯部（１３）のいずれかによって形成された１つの入力部、及びこれら各場合のそれぞれに対して、ドラム（３）と一体に回転するように設けたドラム歯部（１３）、又はコア（４）若しくは香箱真（１８）と一体に回転するように設けた角穴車（１２）によって形成される１つの出力部を有する、時計（１０００）。
【発明の詳細な説明】
【技術分野】
【０００１】
本発明は、低減されたコアの直径を有する機械式腕時計のための香箱アセンブリに関する。
【０００２】
本発明は、また少なくとも１つのこのような香箱アセンブリを含む時計ムーブメントにも関する。
【０００３】
本発明は、またこのタイプの少なくとも１つの時計ムーブメント及び／又はこのタイプの少なくとも１つの香箱アセンブリを含む時計にも関する。
【０００４】
本発明は、時計学の分野に関し、より具体的にはムーブメント、時打ち動作又はその他の時計の機能に動力を供給するためのエネルギーを貯蔵する香箱の分野に関する。
【背景技術】
【０００５】
ゼンマイの回転数を増やすことによりパワーリザーブを増大させるための１つの解決法は、香箱真及び関連するコアの直径を低減することによりドラム内部のゼンマイのために利用可能な空間を増大させることである。
【０００６】
ゼンマイの厚さに対するコア半径の比は通常１０〜２０であり、本発明はこの比を１０より小さく、好ましくは５〜１０の範囲内に低減することを提案する。
【０００７】
コアの直径が小さすぎると破損のリスクがあるため、小さすぎる寸法に寸法決めしてはならない。
【０００８】
従来の香箱の構造において、角穴車は四角形部分を介して香箱真又はコアに軸方向に設けられ、角穴車は通常軸方向のねじによって固定されている。したがってねじ及び四角形部分の寸法は、枢動肩部の最小直径を形成している。枢動肩部に連結される段差部は、地板または宝石若しくは同様の要素を支持する受けに対する香箱真又はコアの末端振動を制限する。
【０００９】
ドラムの末端振動を制限する段差部と結合した香箱真又はコア上でのドラムの枢動をガイドするための肩部には、段差部よりも大きな直径が必要である。材料の断面を最小とするために必要な立体的連鎖には相当な寸法が必要となり、これを低減するのは困難である。特に単にすべての寸法を低減すると、材料の断面が耐疲労性を保証するには不十分なものとなってしまう。
【００１０】
ＳＣＨＩＬＤによる特許文献１は、香箱真に固定されかつ香箱真が回転する受け１０Ａと隣接する角穴車を有する香箱を開示している。香箱は、香箱真の周りでロック位置と解放位置との間で回転運動可能な剛性部品と、角穴車の歯部と係合できるロック用嘴部を有する弾性アームとから形成される単一部品のコハゼを含む。コハゼは、受け１０Ａと角穴車との間の受け１０Ａの凹部内に格納される。アームの自由端部は、角穴車の輪郭内に位置する軸受要素を有し、この凹部のフランクは２つの停止部材を含み、停止部材のうちの一方はロック位置において軸受要素と協働し、他方はロック用嘴部と協働してロック位置を決定する。
【００１１】
ＰＯＮＳによる特許文献２は、潤滑方法及び潤滑デバイスを開示している。香箱真に固定される角穴車は、香箱受け１０Ａの一部分又は上部香箱軸受の一部分にアクセス用開口を有する。受け１０Ａは、地板が蓋用軸受へのアクセス用に有する開口と同様の開口を有していてもよい。
【００１２】
ＦＡＬＬＥＲ  ＬＥＷＩＳ  ＡＬＢＥＲＴによる特許文献３は、互いに対して押圧される地板及び受け１０Ａによって形成されたキャビティの壁部を介して、香箱のドラム及び香箱蓋が制限された様式で枢動する香箱を記載している。ドラムは、ドラムの楕円形開口と協働する２つの平坦部を含むリングを介して香箱真の周りを枢動する。このリングはねじ山を介して角穴車を支持し、角穴車は地板及びドラムによって形成されるキャビティの壁部を介して制限された様式で枢動する。反対側において、香箱真は蓋と受け１０Ａとの間のホイールを支持している。
【００１３】
ＢＲＡＣによる特許文献４は、コアが角穴車を支持し、角穴車の動きが地板のねじ山によって制限される香箱を開示している。このコアは香箱真上で枢動し、香箱真の一方の端部は地板の孔と協働し、他方の端部はねじ山を含む。このねじ山は、受け１０Ａの孔に設けられたセンタリング用ケースの内側のねじ山と協働する。このねじ山及び支持板は、コアの端部の受け１０Ａ側における停止部材を形成するセンタリング用リングを保持している。
【００１４】
ＨＯＲＯＬＯＧＥＲＳ  ＳＡＲＬによる特許文献５は、角穴車を香箱真の端部の四角形部分に固定するバヨネットデバイスに関する。これは、角穴車の当接のための段付き部から溝によって分離された香箱真の端部に、非円形嵌合用外形を組み込む。角穴車は、非円形嵌合用外形と相補的な形状の切り欠き部を含み、角穴車は非円形嵌合用外形に固定され、カラーに当接した状態で配置されている。固定用ワッシャは、このワッシャが固定される香箱真の非円形嵌合用外形と相補的な形状の切り欠き部を含む。このワッシャは少なくとも１つの偏心ねじによって角穴車上にねじ留めされている。
【００１５】
ＳＥＩＫＯ  ＩＮＳＴＲ  ＩＮＣによる特許文献６は、香箱のパワーリザーブを表示するために、その基部上に遊星歯車を枢動可能に保持する遊星歯車ホルダとしてのドラムの使用を含む香箱に関する。この遊星歯車のプレートは、香箱真と同軸であるホイールと噛み合い、遊星歯車のピニオンは太陽ホイールと噛み合い、太陽ホイールもまた香箱真と同軸であり停止部材によって軸方向に維持されている。太陽ホイールは、ムーブメントの地板上で枢動する歯車列のホイールと噛み合っている。
【００１６】
ＰＯＲＴＥＲ  ＷＩＬＳＯＮによる特許文献７は、大きな直径の中間肩部にフックを有し、ゼンマイ用フックの前に凹部を有する香箱真を開示している。
【先行技術文献】
【特許文献】
【００１７】
【特許文献１】フランス特許第２２８７７１７Ａ１号
【特許文献２】フランス特許第１１３７１４９１Ａ号
【特許文献３】米国特許第８８６１９６Ａ号
【特許文献４】スイス特許第２９５１３５Ａ号
【特許文献５】欧州特許第２１９６８６６Ａ２号
【特許文献６】特開１９９９−１８３６４４号
【特許文献７】米国特許第８２０２５２Ａ号
【発明の概要】
【発明が解決しようとする課題】
【００１８】
様々な構成部品の寸法決めに関するこれらの物理的制限のために、上述した従来の構成とは異なる香箱の構成を想定することが必要である。
【００１９】
実質的な制約は、必要に応じてゼンマイを交換するためにアセンブリを分解できることを保証することである。
【００２０】
本発明は、コアの直径を先行技術と比べて有意に低減できる解決法を導入することを提案することである。
【課題を解決するための手段】
【００２１】
本発明は、時計の香箱アセンブリに関し、この香箱アセンブリは少なくとも１つのゼンマイを含み、このゼンマイは香箱ドラムと香箱のコアが備える受承面との間に、その第１の端部が香箱ドラム上に、第２の端部が受承面上にあるように設置され、香箱のコアは上記ドラムと軸線の周りで同軸であり、上記軸線から上記コアの最大半径は上記ゼンマイの最大厚さの１０倍未満であることを特徴とし、並びに上記コアはその第１の端部から第２の端部までに：
−時計機構の地板又は受けにある角穴車を固定する手段及び／又は第１の枢動肩部；
−上記ドラムの孔に関連する枢動肩部；
−上記肩部から径方向に突出し、上記少なくとも１つのゼンマイの側部において上記ドラムの内面と当接して協働するカラー；
−上記カラーと同一平面にあるか又は上記カラーから径方向に後退した位置にある上記少なくとも１つのゼンマイのための受承面；
−上記受承面から径方向に後退した位置にあり、上記ドラムと共に上記少なくとも１つのゼンマイを収容するチャンバを形成するように設けられている蓋の孔に関連する枢動肩部；並びに
−上記時計機構の地板又は受けにある第２の枢動肩部
を順に含むことを更に特徴とする。
【００２２】
本発明の特徴によれば、上記コアの外径は上記カラーから上記第２の端部へと段階的に減少している。
【００２３】
本発明の特徴によれば、上記コアの外径は上記カラーから上記第１の端部へと段階的に減少している。
【００２４】
本発明の特徴によれば、上記肩部は上記カラーに次いで最も大きい直径の肩部を形成している。
【００２５】
本発明の特徴によれば、上記香箱アセンブリは、上記コアに背分力又は牽引力を印加することにより上記コアを上記軸線に沿って軸方向に引き抜くことができるように設けられている引き抜き手段を有する。
【００２６】
本発明の特徴によれば、上記引き抜き手段は、上記コアが上記第２の端部の近傍かつ上記肩部を越えた部位に備えている少なくとも１つの溝及び／又は段付き部によって形成されている。
【００２７】
本発明の特徴によれば、上記ゼンマイは上記ドラム及び上記ドラムに固定される蓋によって形成されるチャンバに格納され、上記コアは外側下部にシャフト形状の第２の部分を有し、この部分上で蓋の孔が摺動する。
【００２８】
本発明の特徴によれば、上記コアは少なくとも２つの部分で構成され、第１の部分は、上記ドラムの上記孔及び蓋の上記孔の２つの直径のうち直径が小さいものよりも小さな直径を有し、第２の部分は、上記第１の部分上に嵌合する孔を有し、上記第２の部分は上記ゼンマイの受承面を含むか、又は上記ゼンマイの内側端部を形成している。
【００２９】
本発明の特徴によれば、上記コアは少なくとも２つの部分で構成され、内側部分と呼ばれる第１の部分は上記角穴車を固定する上記手段を含むか又は上記角穴車を形成しかつ上記第１の枢動肩部を含み、また、上記軸線に沿ってセンタリング用肩部及び雄ねじ山又は雌ねじ山を含み、他方の第２の部分は、上記センタリング用肩部に嵌合するセンタリング用孔を含み、上記第１の部分の上記雄ねじ又は山雌ねじ山に相補的な雌ねじ山又は雄ねじ山をそれぞれ含み、上記肩部、上記カラー、上記ゼンマイの受承面を備えるか又は上記ゼンマイの内側端部を形成し、また上記肩部及び上記第２の枢動肩部も備えている。
【００３０】
本発明の特徴によれば、上記コアは少なくとも２つの部分で構成され、第１の部分は円筒形又はチューブ状の香箱真を含み、その２つの対向する軸方向端部に上記第１の枢動肩部及び上記第２の枢動肩部を含み、これらは上記香箱真と一体であるか、又はねじ留め及び／若しくは巻き付け及び／若しくは溶接によって上記香箱真に固定され、他方の上記肩部及びカラーを備える第２の部分は、上記ゼンマイの受承面を含むか又は上記ゼンマイの内側端部を形成し、また上記肩部も備え、上記第１の部分に嵌合する孔を有する。
【００３１】
本発明の特徴によると、上記第１の部分は角穴車ホルダ又は上記角穴車と単一の部品である。
【００３２】
本発明の特徴によれば、上記第２の部分は、上記第１の部分又は上記角穴車の相補的駆動手段と協働するように、並びに上記軸線の枢動接触及び軸方向の接触の両方を保証するように設けた上記第１の部分及び／又は上記角穴車を枢動駆動する手段を有する。
【００３３】
本発明の特徴によれば、上記第２の部分は複数の同軸部品から形成され、これら部品のうちの１つはリングの形態で形成され、上記少なくとも１つのゼンマイの目玉部を引っ掛けるためのフックを備えている。
【００３４】
本発明の特徴によれば、上記受承面は上記少なくとも１つのゼンマイの目玉部を引っ掛けるためのフックを備え、上記コアは上記フックにおいて、上記フックを機械加工するためのフライスカッタ若しくはストラドルカッタ又は上記フックを機械加工するための一連のフライス工具のための通路のための凹部を有する。
【００３５】
本発明の特徴によれば、上記角穴車は上記コアと単一の部品である。
【００３６】
本発明の特徴によれば、上記受承面は上記軸線を中心とする回転表面である。
【００３７】
本発明の特徴によれば、上記ゼンマイは摩擦によって上記コアに固定される。
【００３８】
本発明によれば、上記ゼンマイは上記コアと共に、溶接又ははんだ付けされた単一部品のゼンマイ−コアサブアセンブリを形成している。
【００３９】
本発明は更に、エネルギー貯蔵用のこのタイプの少なくとも１つの香箱アセンブリを含むムーブメントに関し、上記香箱アセンブリは、上記コアと一体に回転するよう設けた角穴車又は上記コアと一体に設けた香箱真又は上記ドラムと一体に回転するように設けたドラム歯部のいずれかによって形成された１つの入力部、及びこれら各場合のそれぞれに対して、上記ドラムと一体に回転するように設けたドラム歯部又は上記コアと一体に回転するように設けた角穴車又は上記香箱真と一体に回転するように設けた角穴車によって形成された１つの出力部を有する。
【００４０】
本発明は更に、このタイプの少なくとも１つの時計ムーブメント及び／又はエネルギー貯蔵用のこのタイプの少なくとも１つの香箱アセンブリを含む時計に関し、上記香箱アセンブリは、上記コアと一体に回転するように設けた角穴車又は上記コアと一体に設けた香箱真又は上記ドラムと一体に回転するように設けたドラム歯部のいずれかによって形成される１つの入力、及びこれら各場合のそれぞれに対して、上記ドラムと一体に回転するように設けたドラム歯部又は上記コアと一体に回転するように設けた角穴車又は上記香箱真と一体に回転するように設けた角穴車によって形成される１つの出力を有する。
【００４１】
本発明の他の特徴及び利点は、添付した図面を参照して以下の詳細な説明を読むことにより、より明らかになるであろう。
【図面の簡単な説明】
【００４２】
【図１】図１は、本発明による時計の香箱の軸線を通る平面における概略断面図であり、香箱は香箱ドラムの内側面と協働するカラーを含むコアを有する。
【図２】図２は、図１の変形例であり、コアは香箱ドラムよりも上に位置する平面において枢動する。
【図３】図３は、本発明による香箱の変形例であり、ここでカラーはゼンマイの受承面を形成し、カラーは２つの部分で構成され、それらのうち軸方向の部分が角穴車を支持している。
【図４】図４は、本発明の香箱の変形例であり、ここでコアは、香箱の軸線に沿った２つの部分を含む３つの部分で構成されている。
【図４Ａ】図４Ａは、ひと続きの貫通型の香箱真を有する同様の実施形態である。
【図５】図５は、本発明の香箱の変形例であり、ここではコアは４つの同軸部分で構成され、この４つの部分は香箱の軸線に沿った２つの部分及びゼンマイを引っ掛けるためのフックを有する外側部分を備えたチューブ状部分を含む。
【図５Ａ】図５Ａは、貫通型の香箱真を有する同様の実施形態である。
【図６】図６は、同軸の２つの部分で構成されたコアを有する本発明の香箱の変形例であり、香箱の軸線に沿った１つの円筒形部分並びにカラー及びゼンマイを引っ掛けるためのフックを有する外側部分を備えたチューブ状部分を有する。
【図７】図７は、角穴車を支持する部分を枢動駆動するための手段を有する本発明の香箱の変形例を示す軸線に沿った断面図である。
【図８】図８は、角穴車を支持する部分を駆動するための手段を有する本発明の香箱の変形例を示す、軸線方向から見た図である。
【図９】図９は、角穴車を支持する部分を駆動するための手段を有する本発明の香箱の変形例を示す軸線に沿った断面図である。
【図１０】図１０は、カラーを備えた主要コア部分、及びゼンマイを引っ掛けるためのフックを有する外側リングを備えた本発明の香箱の変形例を示す。
【図１１】図１１は、カラー及びフックを有する単一部品のコアの上面図であり、コアのカラーはフックを機械加工するため工具のための凹部を含む。
【図１２】図１２は、本発明による香箱アセンブリを含む時計ムーブメント並びにこのムーブメント及び本発明による香箱アセンブリを含む時計のブロック図である。
【発明を実施するための形態】
【００４３】
本発明は、時計学の分野に関し、より具体的にはムーブメント、時打ち動作又はその他の時計の機能に動力を供給するためのエネルギーを貯蔵する香箱の分野に関する。
【００４４】
より具体的には、本発明は低減されたコアの直径を有する機械式腕時計のための香箱に関する。
【００４５】
本発明は、少なくとも１つの香箱ゼンマイ２を含む時計の香箱アセンブリ１に関する。このゼンマイ２は従来通り、香箱ドラム３と香箱のコア４が備える受承面５との間に、その第１の端部が香箱ドラム３上に、第２の端部２２が受承面５上にあるように設置され、コア４はドラム３と軸線Ｄの周りで同軸である。
【００４６】
ゼンマイ２は、４４〜４６％のコバルト、２０〜２２％のニッケル、１７〜１９％のクロム、４〜６％の鉄、３〜５％のタングステン、３〜５％のモリブデン、０〜２％のチタン、０〜１％のベリリウムを含み、２００〜２４０Ｇｐａのヤング率及び８０〜１００Ｇｐａの剪断弾性率を有する、多相のコバルト−ニッケル−クロムベースの合金製である。このゼンマイ２は、３〜２３、特に９〜２１の幅厚比を有する。コア４は鋼又は鉄鋼製である。軸線Ｄからコア４の最大半径は、以下に説明する配置により、ゼンマイ２の最大厚さの１０倍未満、好ましくは上記厚さの８倍未満となる。
【００４７】
コア４は第１の端部８６から第２の端部８７までに：
−時計機構の地板又は受け１０Ａにある角穴車１２を固定する手段１２０及び／又は第１の枢動肩部１８１；
−ドラム３の孔３５に関連する枢動肩部４３；
−肩部４３から径方向に突出し、少なくとも１つのゼンマイ２の側部においてドラム３の内面３１と当接して協働するカラー４０；
−カラー４０と同一平面にあるか又はカラー４０に対して径方向に後退した位置にある少なくとも１つのゼンマイ２のための受承面５；
−受承面５から径方向に後退した位置にあり、ドラム３と共に少なくとも１つのゼンマイ２を収容するチャンバ３２を形成するように設けた蓋７の孔７５に関連する枢動肩部４４；
−時計機構の地板又は受け１０Ａにある第２の枢動肩部１８２
を順に含む。
【００４８】
図１の実施形態では、香箱真４は単一の部品であり、ドラム３の内面３１上に軸受カラー４０を含み、カラーの直径はフック４１を含むゼンマイ２の軸受表面の外径よりも大きい。このカラー４０は、ゼンマイ２のための軸受表面を形成していない。
【００４９】
カラー４０は、香箱真４とドラム３との間の振動を１つの方向において制限し、振動は、香箱真の肩部４９及び蓋７の内側突起部７９によって別の方向において制限される。
【００５０】
チャンバ３２の容積の大部分はゼンマイ２のために確保され、ゼンマイの軸受表面は公知の香箱におけるゼンマイの軸受表面の直径よりも小さくできる。
【００５１】
図１に示す変形例では、コア４の外径はカラー４０から第２の端部８７へと段階的に減少させている。
【００５２】
図２に示す例示的な実施形態では、コア４の外径はカラー４０から第１の端部８６へと段階的に減少させている。カラー４０は、ドラム３の段付き部の内面３１と当接して協働する。
【００５３】
図２の実施形態は図１の変形例であり、ドラムに設けられている肩部の上方に受けにおいてアーバをガイドするための追加の肩部を有する。
【００５４】
本発明により、いずれの大きな修正もなしに既存のキャリバーのパワーリザーブを改善できる。例えば、「フレデリック・ピゲ  １１８０  ブランパン（Ｆｒｅｄｅｒｉｃ  Ｐｉｇｕｅｔ  １１８０  ＢＬＡＮＣＰＡＩＮ）」キャリバーに対する本発明の応用のための、香箱蓋を修正することなく達成される特定の実施形態は、１．８０ｍｍの値を有する直径４０１及び１．２０ｍｍの値を有する直径５０１に対応する。
【００５５】
図１に示すように、特定の変形例では、肩部４３はカラー４０に次いで最も大きい直径の肩部で形成している。好ましくは、肩部４３の直径はゼンマイ２のための軸受表面５の最大直径より大きい。
【００５６】
有利には、香箱アセンブリは、コア４に背分力又は牽引力を印加することによりコア４を軸線Ｄに沿って軸方向に引き抜くことができるように設けた図４に示す引き抜き手段１９０を含む。
【００５７】
図４、５における非限定的な実施形態では、この引き抜き手段１９０は、コア４が第２の端部８７の傍にかつ肩部４４を越えた部位に設けた少なくとも１つの溝１９１及び／又は段付き部によって形成されている。これら２つの図面は、少なくとも３つの部分：香箱と向かい合う受けの側部に当接する段付き部を有し、中間部分に嵌合されるか又はねじ留めされるドラムの外側のコアの上部分；ドラムと蓋との間で直接的に（図４）又は追加されたリングを介して間接的に（図５）ゼンマイを支持し、上記上部分に対して反対側の端部に溝の形態の引き抜き手段１９０を備えた中間部分；及び中間部分に嵌合されるか又はねじ込まれる地板の内部においてガイドするための下部分からなるコアを図示している。
【００５８】
図４Ａ、５Ａは貫通型の香箱真を有する２つの部分における実施形態を示す。
【００５９】
好ましくは、ゼンマイ２はドラム３とドラム３に固定される蓋７によって形成されるチャンバ３２内に格納され、コア４は外側下部にシャフト形状の第２の部分４４を含み、この部分上で蓋７の孔７５で摺動する。
【００６０】
図６に示す変形例では、ドラムと蓋との間でカラーを有するコアを支持する平滑な香箱真が存在する。カラーはドラムの内側表面の停止表面を形成している。コア４は少なくとも２つの部分から構成され、第１の部分４Ａは、ドラム３の孔３５及び蓋７の孔７５の２つの直径のうち直径が小さいものよりも小さい直径を有し、他方の第２の部分４Ｂは、実質的にチューブ状であって、第１の部分４Ａに嵌合する孔を有する。この第２の部分４Ｂは、ゼンマイ２のための受承面５を含むか又はゼンマイ２の内側端部を形成している。
【００６１】
図３に示す変形例では、香箱真は２つの部分で構成されており、上部分は、単一の部品である受け及び角穴車をガイドして、ゼンマイのチャンバの容積に実質的に制限された下部分にねじ留めされている。
【００６２】
したがって、コア４は、少なくとも２つの部分で構成され、これら２つの部分のうちの１つは好ましくは完全にチャンバ３２内にある。第１の部分４Ａは、角穴車１２を固定するための手段１２０（図５に図示）を含むか又は角穴車１２を一体に形成し、受け１０Ａ、１０若しくは受けの宝石１０Ａに第１の枢動肩部１８１を有する。この第１の部分４Ａはセンタリング用肩部１８３及び雄ねじ山１８５又は雌ねじ山を軸線Ｄに沿って有する。
【００６３】
実質的にチューブ状であってもよい他方の第２の部分４Ｂは、センタリング用肩部１８３上に嵌合されるセンタリング用孔１８４を有し、第１の部分４Ａの雄ねじ山１８５又は雌ねじ山と相補的な雌ねじ山１８６又は雄ねじ山を有する。この第２の部分４Ｂは、肩部４３、カラー４０、及びゼンマイ２のための受承面５を備えるか又はゼンマイ２の内側端部を形成し、また第２の部分４Ｂは肩部４４及び第２の枢動肩部１８２も備えている。
【００６４】
図５に示す他の変形例では、コア４は少なくとも２つの部分で構成され、第１の部分４Ａは円筒形又はチューブ状の香箱真１８を含み、その２つの対向する軸方向端部に第１の枢動肩部１８１及び第２の枢動肩部１８２を含み、第１の枢動肩部１８１及び第２の枢動肩部１８２は香箱真と一体であるか、又はねじ留め及び／若しくは巻き付け及び／若しくは溶接によって香箱真に固定される。他方の第２の部分４Ｂは肩部４３及びカラー４０を備え、ゼンマイ２のための受承面５を含むか又はゼンマイ２の内側端部を形成し、また肩部４４も備える。第２の部分４Ｂは、第１の部分４Ａに嵌合する孔を含む。
【００６５】
有利には、第１の部分４Ａは、角穴車ホルダ８１又は角穴車１２と単一の部品として作製される。
【００６６】
図７〜９に示すように、香箱真の上端部は、角穴車の対応する溝のための駆動用平坦部分を有し、これらはドラム３側の角穴車の下側部分に位置する。
【００６７】
このため第２の部分４Ｂは有利には、第１の部分４Ａ又は角穴車１２が備える相補的駆動手段１８８と協働するよう、及び軸線Ｄの枢動接触及び軸方向における接触の両方を保証するように設けた第１の部分４Ａ及び／又は角穴車１２のための枢動駆動手段１８７を有する。図示した場合では、フライス工具トレーンによって角穴車１２に作製される凹部１８８は、２つのフライス加工された平坦な部分を含むコアの端部の外形部分１８７と協働する。
【００６８】
図７〜９に示す実施形態は、特に婦人用腕時計のための「６１５  ブランパン」等の極めて小さなキャリバーに特によく適している。実際、本発明により、直径５０２を１．００ｍｍまで低減することができる。図８の直径１２１は０．６０ｍｍであり、直径１２２は僅か０．３５ｍｍである。各垂直の接触における４Ｎの力を表す図８において点線で示すように、約０．２５ｍｍの半径上に２ｎＮ．ｍのトルクを通過させるこができる。
【００６９】
図１の変形例によって作製される香箱真を同一のキャリバーに適用することにより、ゼンマイ又は構成部品の材料を変更することなく、既存の直径に対して少なくとも０．１０ｍｍ直径を減じることができる。例として、図１の直径４０１は０．８０ｍｍに低減でき、肩部４４の直径は０．５５ｍｍ、及び肩部１８２の直径は０．３３ｍｍに低減できる。
【００７０】
図１０、１１に示す実施形態では、香箱真はドラムと蓋との間にカラーを有する。図６に示すように、カラーはドラムの内側面と共に停止面を形成する。カラーはカラーの直径より小さい直径の領域にわたってゼンマイを引っ掛けるフックに適合する切り欠き部を有し、このカラーは、単一の部品である場合は香箱真自体に又は図１０、１１に示した場合では上記香箱真に追加されたリングに属する。
【００７１】
機械加工コストに関して有利である図１０の実施形態では、第２の部分４Ｂは複数の同軸部品から作製され、複数の同軸部品のうちの１つはリングの形態で作製され、少なくとも１つのゼンマイ２の目玉部を引っ掛けるためのフック４１を備えている。
【００７２】
図１１に見られるように、一体型の実施形態では、受承面５は少なくとも１つのゼンマイ２の目玉部を引っ掛けるためのフック４１を備え、コア４はフック４１の右側、特にカラー４０上に、フック４１を機械加工するためのフライスカッタ又はストラドルカッタの通路のための凹部５２を有する。
【００７３】
本発明の変形例では、角穴車１２はコア４と単一の部品である。
【００７４】
本発明の変形例では、受承面５は軸線Ｄに対する回転表面である。
【００７５】
本発明の変形例では、ゼンマイ２は摩擦によってコア４に固定される。
【００７６】
本発明の有利な実施形態では、ゼンマイ２はコア４と共に、溶接又はハンダ付けされた単一の部品又は同様のゼンマイ−コアサブアセンブリを形成している。
【００７７】
本発明はまた、エネルギー貯蔵用のこのタイプの少なくとも１つの香箱アセンブリ１を含む時計ムーブメント１００にも関し、この香箱アセンブリ１は、コア４若しくはコア４と一体である香箱真１８と一体に回転するように設けた角穴車１２、又はドラム３と一体に回転するように設けたドラム歯部１３のいずれかによって形成される１つの入力、及びこれら各場合のそれぞれに対して、ドラム３と一体に回転するように設けたドラム歯部１３、又はコア４若しくは香箱真１８と一体に回転するように設けた角穴車１２によって形成される１つの出力部を有する。
【００７８】
本発明はまた、少なくとも１つの時計ムーブメント１００及び／又はエネルギー貯蔵用のタイプの少なくとも１つの香箱アセンブリ１を含む時計ムーブメント１０００にも関し、この香箱アセンブリ１は、コア４若しくはコア４と一体の香箱真１８と一体に回転するように設けた角穴車１２、又はドラム３と一体として回転するように設けたドラム歯部１３のいずれかによって形成される１つの入力部、及びこれら各場合のそれぞれに対して、ドラム３と一体に回転するように設けたドラム歯部１３、又はコア４若しくは香箱真１８と一体に回転するように設けた角穴車１２によって形成される１つの出力部を有する。
【図１】
0005807122.tif 000002
【図２】
0005807122.tif 000003
【図３】
0005807122.tif 000004
【図４】
0005807122.tif 000005
【図４Ａ】
0005807122.tif 000006
【図５】
0005807122.tif 000007
【図５Ａ】
0005807122.tif 000008
【図６】
0005807122.tif 000009
【図７】
0005807122.tif 000010
【図８】
0005807122.tif 000011
【図９】
0005807122.tif 000012
【図１０】
0005807122.tif 000013
【図１１】
0005807122.tif 000014
【図１２】
0005807122.tif 000015